(57)【特許請求の範囲】
【請求項１】
進行方向に沿って複数個の磁極が交互に異磁極となるように等間隔で配列された永久磁石を備える可動子と、可動子の磁極との間の相互作用により可動子に推力を与えるように可動子の進行方向に沿って列設された複数個のコイルと、可動子の磁極の位置を検出するように可動子の進行方向に離間して等間隔で配置された複数個の磁気センサからなる磁気センサブロックと、磁気センサブロックにより検出した可動子の磁極の位置に応じて前記コイルへの通電のタイミングを制御する制御回路とを備え、磁気センサブロックは、隣り合う２個のコイルの間に配置され、磁気センサブロックを挟んで配置されるコイル間の間隔と磁気センサブロックを挟まずに配置される各一対のコイル間の間隔との差が永久磁石の隣接する磁極間の距離の２倍に設定され、かつ磁気センサブロックに含まれる一つの磁気センサと可動子の進行方向において隣り合う一方のコイルとの間隔はコイル間の間隔と等しく設定され、磁気センサブロックでは、可動子が走行する全区間において各磁気センサに対向する永久磁石の磁極がすべて同極性となる部分がないように各磁気センサが配置されていることを特徴とするブラシレスリニアモータ。
【請求項２】
進行方向に沿って複数個の磁極が交互に異磁極となるように等間隔で配列された永久磁石を備える可動子と、３相のコイルおよびコイルに挿通された鉄心を備える複数個の電磁石が可動子の進行方向に沿って配列され各鉄心の一端間が固定子ヨークにより磁気的に結合された固定子と、可動子の磁極の位置を検出するように可動子の進行方向に離間して等間隔で固定子に配置された３個の磁気センサからなる磁気センサブロックと、磁気センサブロックにより検出した可動子の位置に応じて前記コイルへの通電のタイミングを制御する制御回路とを備え、磁気センサブロックは、隣り合う２個の電磁石の間に配置され、磁気センサブロックを挟んで配置される各一対の電磁石間の間隔と磁気センサブロックを挟まずに配置される電磁石間の間隔との差が永久磁石の隣接する磁極間の距離の２倍に設定され、かつ磁気センサブロックに含まれる中央の磁気センサと可動子の進行方向において隣り合う一方の電磁石との間隔は電磁石間の間隔と等しく設定され、磁気センサブロックでは、永久磁石の隣接する磁極間の距離に対して隣接する磁気センサ間の間隔が２／３倍となるように各磁気センサが配置されていることを特徴とするブラシレスリニアモータ。
【請求項３】
前記磁気センサブロックから前記制御回路に入力される信号は、前記磁気センサごとに可動子の各極性の磁極が検出されている期間に対応して２値化された出力であり、前記制御回路では、すべての磁気センサについて前記制御回路に入力される信号の信号値が等しいときには前記制御回路に入力される信号が異常であると判定することを特徴とする請求項１または請求項２記載のブラシレスリニアモータ。
【請求項４】
前記制御回路では、入力される信号が異常であると判定したときに前記コイルへの通電を停止することを特徴とする請求項３記載のブラシレスリニアモータ。
【請求項５】
前記制御回路が、入力される信号が異常であると判定したことを表示する表示ランプを備えることを特徴とする請求項３または請求項４記載のブラシレスリニアモータ。
【発明の詳細な説明】
【０００１】
【発明の属する技術分野】
本発明は、主として引戸式のドア本体を電動走行させる際に用いられるブラシレスリニアモータに関するものである。
【０００２】
【従来の技術】
一般に、リニアモータは、図１に示すように、可動子２との間に磁力による推力を生じさせて可動子２を走行させる固定子１を備え、固定子１には可動子２の進行方向に列設された複数のコイル１１が設けられる。また、各コイル１１にはそれぞれ鉄心１３が挿通されており、鉄心１３の一端が可動子２に対面するように配置され、各鉄心１３の他端同士は固定子ヨーク１４により磁気的に結合される。一方、可動子２は、進行方向において複数の磁極が交互に異磁極となるように配置された永久磁石２１を備え、永久磁石２１の磁極が固定子に設けた鉄心１３の一端に対面することにより、可動子２には固定子１との間の磁力による推力が生じるようにしてある。可動子２を走行させる推力を発生させるには、各コイル１１に通電するタイミングを可動子２の位置に応じて制御する必要があるから、可動子２の磁極の位置を検出する磁気センサ３１が固定子１側に設けられ、磁気センサ３１の出力に基づいて各コイル１１への通電タイミングが制御される。つまり、可動子２の磁極の位置に応じて励磁するコイル１１を選択的に切り換えるために複数の磁気センサ３１を備えた磁気センサブロック３が設けられ、磁気センサブロック３により検出した可動子２の位置に応じたタイミングで各コイル１１への通電を制御することにより、可動子２を所望の方向に走行させることが可能になる。このように磁気センサ３１を用いて各コイル１１への通電タイミングを切り換えるからブラシが不要になっている。つまり、図１に示すリニアモータはブラシレスリニアモータとなっている。
【０００３】
【発明が解決しようとする課題】
ところで、磁気センサブロック３を構成する磁気センサ３１としては、一般にホール素子やホールＩＣが用いられている。磁気センサ３１はコイル１１の励磁相数分の個数が設けられており、複数の磁気センサ３１のうちの１個でも異常が生じると、正しいコイル１１を選択することができなくなり、可動子２を所望の方向に走行させることができなくなる。
【０００４】
そこで、従来から磁気センサの異常を検出する技術が提案されている（特開平５−９８８６７号公報）。この公報に記載の技術では、複数個の磁気センサの出力を２値化するとともに、磁気センサの出力の組み合わせの変化の順番を監視し、変化の順番が正常な場合とは異なっていると、磁気センサに異常が生じたとみなしている。したがって、この技術を用いれば磁気センサの異常を検知することが可能になると言える。
【０００５】
しかしながら、上記公報に記載の技術では、磁気センサの出力の組み合わせの時間変化を検出するものであるから、比較的複雑な処理が必要になるという問題がある。
【０００６】
本発明は上記事由に鑑みて為されたものであり、その目的は、比較的簡単な処理で磁気センサの異常を確実に検知することを可能としたブラシレスリニアモータを提供することにある。
【０００７】
【課題を解決するための手段】
請求項１の発明は、進行方向に沿って複数個の磁極が交互に異磁極となるように等間隔で配列された永久磁石を備える可動子と、可動子の磁極との間の相互作用により可動子に推力を与えるように可動子の進行方向に沿って列設された複数個のコイルと、可動子の磁極の位置を検出するように可動子の進行方向に離間して等間隔で配置された複数個の磁気センサからなる磁気センサブロックと、磁気センサブロックにより検出した可動子の磁極の位置に応じて前記コイルへの通電のタイミングを制御する制御回路とを備え、磁気センサブロックは、隣り合う２個のコイルの間に配置され、磁気センサブロックを挟んで配置されるコイル間の間隔と磁気センサブロックを挟まずに配置される各一対のコイル間の間隔との差が永久磁石の隣接する磁極間の距離の２倍に設定され、かつ磁気センサブロックに含まれる一つの磁気センサと可動子の進行方向において隣り合う一方のコイルとの間隔はコイル間の間隔と等しく設定され、磁気センサブロックでは、可動子が走行する全区間において各磁気センサに対向する永久磁石の磁極がすべて同極性となる部分がないように各磁気センサが配置されているものである。この構成によれば、複数設けた磁気センサの出力がすべて同極性を検出しているのと等価な状態が生じていれば異常とみなすことができ、磁気センサの出力の組み合わせのみで異常の有無を検出することが可能になる。
【０００８】
請求項２の発明は、進行方向に沿って複数個の磁極が交互に異磁極となるように等間隔で配列された永久磁石を備える可動子と、３相のコイルおよびコイルに挿通された鉄心を備える複数個の電磁石が可動子の進行方向に沿って配列され各鉄心の一端間が固定子ヨークにより磁気的に結合された固定子と、可動子の磁極の位置を検出するように可動子の進行方向に離間して等間隔で固定子に配置された３個の磁気センサからなる磁気センサブロックと、磁気センサブロックにより検出した可動子の位置に応じて前記コイルへの通電のタイミングを制御する制御回路とを備え、磁気センサブロックは、隣り合う２個の電磁石の間に配置され、磁気センサブロックを挟んで配置される各一対の電磁石間の間隔と磁気センサブロックを挟まずに配置される電磁石間の間隔との差が永久磁石の隣接する磁極間の距離の２倍に設定され、かつ磁気センサブロックに含まれる中央の磁気センサと可動子の進行方向において隣り合う一方の電磁石との間隔は電磁石間の間隔と等しく設定され、磁気センサブロックでは、永久磁石の隣接する磁極間の距離に対して隣接する磁気センサ間の間隔が２／３倍となるように各磁気センサが配置されているものである。この構成によれば、可動子の磁極を検出してコイルへの通電のタイミングを決めるための磁気センサを用い、複数設けた磁気センサの出力がすべて同極性を検出しているのと等価な状態が生じていれば異常とみなすことができ、磁気センサの出力の組み合わせで異常の有無を検出することが可能になる。
【０００９】
請求項３の発明は、請求項１または請求項２の発明において、前記磁気センサブロックから前記制御回路に入力される信号は、前記磁気センサごとに可動子の各極性の磁極が検出されている期間に対応して２値化された出力であり、前記制御回路では、すべての磁気センサについて前記制御回路に入力される信号の信号値が等しいときには前記制御回路に入力される信号が異常であると判定するものである。この構成によれば、磁気センサブロックから制御回路に入力される信号が２値化されているから、制御回路に入力される信号の異常を論理値の組み合わせで簡単に検出することができる。
【００１０】
請求項４の発明は、請求項３の発明において、前記制御回路では、入力される信号が異常であると判定したときに前記コイルへの通電を停止するものである。この構成によれば、磁気センサブロックから制御回路に入力される信号の異常を検出したときに誤動作せず、可動子は慣性で走行した後に自動的に停止することになる。
【００１１】
請求項５の発明は、請求項３または請求項４の発明において、前記制御回路が、入力される信号が異常であると判定したことを表示する表示ランプを備えるものである。この構成によれば、磁気センサブロックから制御回路に入力される信号の異常を表示ランプの点灯状態によって容易に知ることができる。
【００１２】
【発明の実施の形態】
図１、図２に示すように、固定子１と可動子２とは対置され、固定子１には複数個の電磁石１０を列設してある。各電磁石１０は、可動子２の進行方向において一直線上に列設されており、各電磁石１０はそれぞれコイル１１が合成樹脂成形品のコイルボビン１２に巻装され、コイルボビン１２において円形に開口する中心孔に鉄心１３が挿通された構成を有する。鉄心１３の一端部は他の部位よりも大径となったヘッド１３ａを形成しており、このヘッド１３ａは可動子２に対面する磁極として機能する。各鉄心１３の脚部１３ｂの他端部は軟磁性材料で形成された固定子ヨーク１４に設けた孔（図示せず）に挿入され、かしめ等により機械的かつ磁気的に結合される。
【００１３】
一方、可動子２は進行方向において交互に異磁極が並ぶ永久磁石２１を備える。永久磁石２１は厚み方向の一面が鉄心１３のヘッド１３ａに対面するように配置され、永久磁石２１の厚み方向の他面には可動子ヨーク２２が重ね合わされる。可動子ヨーク２２は永久磁石２１の上記他面側への磁束の漏洩を抑制して磁気効率を高めるために設けられている。永久磁石２１は複数個の永久磁石を並べた形でもよいが、本実施形態では１枚の磁性体板に長手方向に沿って多極に着磁することによって永久磁石２１を形成してある。永久磁石２１の各磁極は等ピッチに形成されており、本実施形態では、永久磁石２１の磁極間のピッチをＬとするとき、固定子１における隣接する鉄心１３間の距離が１０Ｌ／６になるように設定してある。また、この可動子２は進行方向における全長よりも走行範囲のほうが大きくなっている。
【００１４】
固定子１には磁気センサブロック３も設けられる。磁気センサブロック３は可動子２に設けた永久磁石２１の磁極の位置を検出するための片側磁界型のホールＩＣからなる３個の磁気センサ３１を備え、図３に示すように、磁気センサブロック３の出力を制御回路４２に与えることによって、制御回路４２が各コイル１１への通電タイミングを制御し、これによって可動子２と固定子１との間に磁力が作用して（つまり、コイル１１と可動子２の磁極との相互作用により）可動子２が推力を受けるようにしてある。ホールＩＣはホール素子を備えるとともに、ホール素子からのアナログ出力を永久磁石２１の磁極の切り替わりに対応してＨレベルとＬレベルとに２値化する回路部とを集積したものである。ここに、片側磁界型のホールＩＣとは、Ｎ極またはＳ極のうちの一方に対してのみ磁束密度が所定値以上になると２値出力を反転させるものを意味している。たとえば、Ｓ極において磁束密度の変化を２値化するとすれば、Ｎ極においては磁束密度が変化しても出力値を変化させないように構成したものである。磁気センサブロック３は３個の磁気センサ３１をプリント基板３２に実装してあり、このプリント基板３２は固定子１の長手方向の中央付近において２個の電磁石１０の間に配置されるとともに、固定用スペーサ３３を介して固定子ヨーク１４にねじ等により固定され、各磁気センサ３１の先端面が鉄心１３のヘッド１３ａとほぼ同一平面に位置するように配置される。ここに、両電磁石１０の間隔は２２Ｌ／６に設定され、磁気センサブロック３における各磁気センサ３１の間隔は２Ｌ／３に設定される。また、図２において中央の磁気センサ３１は左側の電磁石１０に対して１２Ｌ／６、右側の電磁石１０に対して１０Ｌ／６の間隔になるように配置される。なお、磁気センサ３１としてホール素子を用い、ホール素子の出力を２値化する回路はプリント基板３２に実装してもよい。
【００１５】
本実施形態ではＹ結線となるように接続された３相のコイル１１を設けてあり、２相ずつ励磁することによって可動子２に推力を与えるように制御される。磁気センサ３１の出力に基づいて各コイル１１の通電を制御する回路は図３に示すように構成される。コイル１１は上述したように３相設けられ、各相のコイル１１の一端同士は共通に接続されてＹ結線とされている。したがって、３相のコイル１１からなるコイルブロック３０は３端子を有している。一方、コイル１１への通電を制御する回路は、直流電源４１の両端間に接続された各組２個ずつのスイッチング素子Ｑ１１，Ｑ１２、Ｑ２１，Ｑ２２、Ｑ３１，Ｑ３２の直列回路を３組備える。コイルブロック３０の各端子は各組の直列回路の中間点、つまりスイッチング素子Ｑ１１，Ｑ１２の接続点と、スイッチング素子Ｑ２１，Ｑ２２の接続点と、スイッチング素子Ｑ３１，Ｑ３２の接続点とにそれぞれ接続される。また、各スイッチング素子Ｑ１１，Ｑ１２、Ｑ２１，Ｑ２２、Ｑ３１，Ｑ３２には、それぞれ環流用のダイオードＤ１１，Ｄ１２、Ｄ２１，Ｄ２２、Ｄ３１，Ｄ３２が逆並列に接続される。ここに、スイッチング素子Ｑ１１，Ｑ１２、Ｑ２１，Ｑ２２、Ｑ３１，Ｑ３２に逆並列であるとは、スイッチング素子Ｑ１１，Ｑ１２、Ｑ２１，Ｑ２２、Ｑ３１，Ｑ３２に並列であって、かつスイッチング素子Ｑ１１，Ｑ１２、Ｑ２１，Ｑ２２、Ｑ３１，Ｑ３２のオン時とは逆向きに電流を流す極性であることを意味する。
【００１６】
上述した各スイッチング素子Ｑ１１，Ｑ１２、Ｑ２１，Ｑ２２、Ｑ３１，Ｑ３２は磁気センサ３１が接続された制御回路４２によりオンオフされる。制御回路４２はマイコンを主構成要素とし、あらかじめ設定されたプログラムに従って各スイッチング素子Ｑ１１，Ｑ１２、Ｑ２１，Ｑ２２、Ｑ３１，Ｑ３２を磁気センサ３１の出力に応じて制御するのである。
【００１７】
いま、スイッチング素子Ｑ１１，Ｑ１２の接続点に一端が接続されたコイル１１をＵ相、スイッチング素子Ｑ２１，Ｑ２２の接続点に一端が接続されたコイル１１をＶ相、スイッチング素子Ｑ３１，Ｑ３２の接続点に一端が接続されたコイル１１をＷ相とすれば、制御回路３２ではＵ相とＶ相とのコイル１１、Ｖ相とＷ相とのコイル１１、Ｗ相とＵ相とのコイル１１に順次通電されるように、スイッチング素子Ｑ１１，Ｑ１２、Ｑ２１，Ｑ２２、Ｑ３１，Ｑ３２のオンオフを制御する。たとえば、スイッチング素子Ｑ１１，Ｑ２２をオンにする状態、スイッチング素子Ｑ２１，Ｑ３２をオンにする状態、スイッチング素子Ｑ３１，Ｑ１２をオンにする状態を循環的に繰り返すのである。また、可動子２の移動方向を逆にする場合には、スイッチング素子Ｑ２１，Ｑ１２をオンにする状態、スイッチング素子Ｑ１１，Ｑ３２をオンにする状態、スイッチング素子Ｑ３１，Ｑ２２をオンにする状態を循環的に繰り返す。制御回路３２はマイコンを主構成としており、磁気センサ３１により検出した可動子２の位置に基づいて上述のようにスイッチング素子Ｑ１１，Ｑ１２、Ｑ２１，Ｑ２２、Ｑ３１，Ｑ３２のオンオフを制御するのである。このように各２相ずつのコイル１１を順次励磁することにより可動子２にほぼ直進する推力を与えることができる。
【００１８】
図２においてＵ，Ｖ，Ｗの符号は各コイル１１の相を示しており、これらの符号にアポストロフィを付与した各コイル１１はアポストロフィを付与していない同相のコイル１１とは励磁極性が逆になることを意味している。図示例ではＵ，Ｖ’，Ｗ，Ｕ’，Ｖ，Ｗ’の順で各相のコイル１１が配列される。しかるに、上述のように制御回路３２によってスイッチング素子Ｑ１１，Ｑ１２、Ｑ２１，Ｑ２２、Ｑ３１，Ｑ３２を循環的にオンオフさせると（つまり、Ｕ，Ｖ→Ｖ，Ｗ→Ｗ，Ｕ→Ｕ，Ｖのように通電すると）、同時に通電される２相のコイル１１は互いに逆極性に励磁されるから、図２において隣接する２個ずつのコイル１１が励磁されているときに、励磁されている各２個のコイル１１の間の１個のコイル１１は励磁されていないことになる。また、同時に励磁される２個のコイル１１は同極性に励磁されることになる。たとえば、Ｕのコイル１１において鉄心１３のヘッド１３ａがＮ極になるように励磁されるとすれば、Ｕ’のコイル１１はＳ極、Ｖのコイル１１はＳ極，Ｖ’のコイル１１はＮ極になる。つまり、このときにはＮ極，Ｎ極，無励磁，Ｓ極，Ｓ極，無励磁になる。また、磁気センサブロック３において、右端の磁気センサ３１はＵ相、中央の磁気センサ３１はＷ相、左端の磁気センサ３１はＶ相にそれぞれ対応する。
【００１９】
ところで、磁気センサ３１から正常な出力が得られているときには、図４に示すように、可動子２の位置に応じて各磁気センサ３１がそれぞれ２値出力を発生する。図から明らかなように、３個の磁気センサ３１の出力はすべてが同時にＨレベルあるいはＬレベルになることはなく（図では上側がＨレベルを示している）、少なくとも１個の磁気センサ３１の出力値は他の磁気センサ３１の出力値とは異なることになる。
【００２０】
一方、Ｕ相の磁気センサ３１が故障して出力がＬレベルになるか、Ｕ相の磁気センサ３１と制御回路４２との間で断線したとすれば、図５に示すように、制御回路４２への入力は常にＬレベルになり、この場合には３個の磁気センサ３１のすべての出力（制御回路４２への入力）が同じ値（図示例ではＬレベル）になる期間が生じる。図５においてはＰで示す位置において、すべての磁気センサ３１の出力がＬレベルになっている。ここではＵ相の磁気センサ３１についてのみ説明しているが、Ｖ相の磁気センサ３１あるいはＷ相の磁気センサ３１であっても同様である。
【００２１】
図４と図５との関係から明らかなように、磁気センサ３１から制御回路４２への入力について、すべての入力が同じ値になる期間が生じる場合には、磁気センサ３１の異常あるいは磁気センサ３１と制御回路４２との間の異常と見なせるから、このような状態の検出によって異常の有無を判断することが可能になる。したがって、可動子２の走行速度を決定する速度制御プログラムの一部に、図６に示すサブルーチンを組み込むようにし、速度制御プログラムの実行中にこのサブルーチンを定期的に実行すれば、磁気センサ３１に関する異常の有無を検出することが可能になり、磁気センサ３１に異常があれば可動子２を停止させるように制御することが可能になる。すなわち、可動子２の走行速度を考慮することにより、磁気センサ３１の出力の変化点の直前のタイミングでメインルーチンからサブルーチンを呼び出し、磁気センサ３１から制御回路４２への入力がすべて同じ値になっているか否かを確認する（Ｓ１）。ここで、同じ値ではなければ、メインルーチンに戻り（Ｓ２）、同じ値になっていれば、すべてのスイッチング素子Ｑ１１，Ｑ１２、Ｑ２１，Ｑ２２、Ｑ３１，Ｑ３２をオフにすることによって、可動子２の移動を停止させ（Ｓ３）、発光ダイオードからなる図示していない表示ランプ（磁気センサ異常ランプ）を点灯させるなどして異常を報知する（Ｓ４）。このようなサブルーチンを設けることによって、図５における位置Ｐで磁気センサ３１の異常の有無を検出することが可能になる。なお、可動子２の走行中でなくとも制御回路４２を動作させておけば、手動で可動子２を移動させるようにしても磁気センサ３１の異常の有無を検出することが可能である。ここに、表示ランプは、正常時と異常時とで色を変化させたり、連続点灯と点滅点灯とを切り換えたりする構成であってもよい。また、正常時に点灯する表示ランプと異常に点灯する表示ランプとを設けたり、異常時に点灯する表示ランプを複数設けたりしてもよい。
【００２２】
【発明の効果】
請求項１の発明の構成によれば、複数設けた磁気センサの出力がすべて同極性を検出しているのと等価な状態が生じていれば異常とみなすことができ、磁気センサの出力の組み合わせのみで比較的簡単に異常の有無を検出することが可能になるという利点がある。
【００２３】
請求項２の発明の構成によれば、可動子の磁極を検出してコイルへの通電のタイミングを決めるための磁気センサを用い、複数設けた磁気センサの出力がすべて同極性を検出しているのと等価な状態が生じていれば異常とみなすことができ、磁気センサの出力の組み合わせのみで異常の有無を比較的簡単に検出することが可能になるという利点がある。
【００２４】
請求項３の発明は、請求項１または請求項２の発明において、前記磁気センサブロックから前記制御回路に入力される信号は、前記磁気センサごとに可動子の各極性の磁極が検出されている期間に対応して２値化された出力であり、前記制御回路では、すべての磁気センサについて前記制御回路に入力される信号の信号値が等しいときには前記制御回路に入力される信号が異常であると判定するものであり、磁気センサブロックから制御回路に入力される信号が２値化されているから、制御回路に入力される信号の異常を論理値の組み合わせで簡単に検出することができるという利点がある。
【００２５】
請求項４の発明は、請求項３の発明において、前記制御回路では、入力される信号が異常であると判定したときに前記コイルへの通電を停止するものであり、磁気センサブロックから制御回路に入力される信号の異常を検出したときに誤動作せず、可動子は慣性で走行した後に自動的に停止することになるという利点がある。
【００２６】
請求項５の発明は、請求項３または請求項４の発明において、前記制御回路が、入力される信号が異常であると判定したことを表示する表示ランプを備えるものであり、磁気センサブロックから制御回路に入力される信号の異常を表示ランプの点灯状態によって容易に知ることができるという利点がある。
【図面の簡単な説明】
【図１】本発明の実施の形態の全体構成を示す概略構成図である。
【図２】同上の要部を示す概略構成図である。
【図３】同上の回路図である。
【図４】同上の磁気センサブロックの出力信号を示す動作説明図である。
【図５】同上の磁気センサの異常時における出力信号を示す動作説明図である。
【図６】同上における磁気センサの異常検知のためのサブルーチンを示す動作説明図である。
【符号の説明】
１  固定子
２  可動子
３  磁気センサブロック
１０  電磁石
１１  コイル
１２  コイルボビン
１３  鉄心
１４  固定子ヨーク
２１  永久磁石
２２  可動子ヨーク
３０  コイルブロック
３１  磁気センサ
３２  プリント基板
３３  固定用スペーサ
４１  直流電源
４２  制御回路
【図１】
0004296689.tif 000002
【図２】
0004296689.tif 000003
【図３】
0004296689.tif 000004
【図４】
0004296689.tif 000005
【図５】
0004296689.tif 000006
【図６】
0004296689.tif 000007